【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
記憶装置により前記記憶装置の内部動作を処理する方法であって、
「アクティブ」状態および「非アクティブ」状態のうちのいずれかの状態となることができる、コマンドの統合シーケンスを定義するステップと、
第１連の内部メモリ管理動作および第２連の内部メモリ管理動作を前記コマンドの統合シーケンスと関連付けるステップであって、前記コマンドの統合シーケンスが「アクティブ」状態にある間、前記第１連の内部メモリ管理動作を実行不能にし、前記コマンドの統合シーケンスが「アクティブ」状態にある間、前記第２連の内部メモリ管理動作を実行可能にする、関連付けるステップと、
ホスト装置からコマンドを受信するステップと、
前記受信されたコマンドに応じて、前記コマンドの統合シーケンスが「アクティブ」状態にあるか、あるいは「非アクティブ」状態から「アクティブ」状態へ遷移している時を判断するステップと、
前記コマンドの統合シーケンスが「アクティブ」状態にあるか、あるいは「非アクティブ」状態から「アクティブ」状態へ遷移している時に、前記第１連の内部メモリ管理動作のいずれの動作も実行させないようにするステップと、
を含む方法。
【請求項２】
請求項１記載の方法において、
前記コマンドの統合シーケンスが「アクティブ」状態にあるか、あるいは「非アクティブ」状態から「アクティブ」状態へ遷移している時に、前記第２連の内部メモリ管理動作のいずれの動作も実行可能にするステップをさらに含む方法。
【請求項３】
請求項１記載の方法において、
前記コマンドの統合シーケンスが「非アクティブ」状態にあるか、あるいは「アクティブ」状態から「非アクティブ」状態へ遷移している時に、前記第１連の内部メモリ管理動作の動作を実行可能にし、前前記第２連の内部メモリ管理動作のいずれの動作も実行させないようにするステップをさらに含む方法。
【請求項４】
請求項３記載の方法において、
前記コマンドの統合シーケンスが「非アクティブ」状態から「アクティブ」状態へ遷移したのか、それとも「アクティブ」状態から「非アクティブ」状態へ遷移したのかを判断することは、前記受信されたコマンドから導き出された情報が、予め定義されたシーケンスの開始条件を満足させるのか、それとも予め定義されたシーケンスの終了条件を満足させるのかを判断することを含む方法。
【請求項５】
請求項１記載の方法において、
前記コマンドの統合シーケンスは、マルチメディアコンテンツの再生と関連する方法。
【請求項６】
請求項１記載の方法において、
前記コマンドの統合シーケンスは、マルチメディアコンテンツまたは画像の獲得と関連する方法。
【請求項７】
請求項１記載の方法において、
前記コマンドの統合シーケンスは、データ同期化と関連する方法。
【請求項８】
請求項１記載の方法において、
前記コマンドの統合シーケンスは、ブートコマンドと関連する方法。
【請求項９】
請求項１記載の方法において、
前記第１連の内部メモリ管理動作の動作は、
フラッシュメモリ管理動作、
送信／受信データの暗号化／暗号化解除、
送信／受信データの圧縮／解凍、
アンチウィルス動作、
デフラグ動作、
高耐久化、
データのバックアップ、
データフォーマットの変更、
ガーベッジコレクション、
誤り訂正機構の採用、
高速フラッシュ記憶領域へのデータのキャッシング、
キャッシングデータのフラッシュ、
低電力モード動作、および
静的な消耗の均等化
より成る群から選択される方法。
【請求項１０】
請求項１記載の方法において、
前記第２連の内部メモリ管理動作の動作は、
フラッシュメモリ管理動作、
送信／受信データの暗号化／暗号化解除、
送信／受信データの圧縮／解凍、
アンチウィルス動作、
デフラグ動作、
高耐久化、
データのバックアップ、
データフォーマットの変更、
ガーベッジコレクション、
誤り訂正機構の採用、
高速フラッシュ記憶領域へのデータのキャッシング、
キャッシングデータのフラッシュ、
低電力モード動作、および
静的な消耗の均等化
より成る群から選択される方法。
【請求項１１】
記憶装置であって、
ホスト装置から記憶コマンドを受信する通信インターフェイスと、
「アクティブ」状態および「非アクティブ」状態のうちのいずれかの状態となることができる、コマンドの統合シーケンスと、前記コマンドの統合シーケンスと関連する第１連の内部メモリ管理動作および第２連の内部メモリ管理動作であって、前記コマンドの統合シーケンスが「アクティブ」状態にある間、実行不能にされる第１連の内部メモリ管理動作と、前記コマンドの統合シーケンスが「アクティブ」状態にある間、実行可能にされる第２連の内部メモリ管理動作と、を記憶する大容量記憶領域と、
前記通信インターフェイスを介して前記ホスト装置からコマンドを受信し、前記受信されたコマンドに基づいて、前記コマンドの統合シーケンスが「アクティブ」状態にあるか、あるいは「非アクティブ」状態から「アクティブ」状態へ遷移している時を判断し、前記コマンドの統合シーケンスが「アクティブ」状態にあるか、あるいは「非アクティブ」状態から「アクティブ」状態へ遷移していることに応答して、前記第１連の内部メモリ管理動作のいずれの動作も実行させないように適合されるコントローラと、
を備える記憶装置。
【請求項１２】
請求項１１記載の記憶装置において、
前記コマンドの統合シーケンスが「アクティブ」状態にあるか、あるいは「非アクティブ」状態から「アクティブ」状態へ遷移している時に、前記コントローラは、前記第２連の内部メモリ管理動作のいずれの動作も実行可能にするようにさらに適合される記憶装置。
【請求項１３】
請求項１１記載の記憶装置において、
前記コントローラは、前記受信されたコマンドから導き出された情報に基づいて、前記コマンドの統合シーケンスが「非アクティブ」状態にあるか、あるいは「アクティブ」状態から「非アクティブ」状態へ遷移している時を判断し、前記コマンドの統合シーケンスが「非アクティブ」状態にあるか、あるいは「アクティブ」状態から「非アクティブ」状態へ遷移していることに応答して、前記第１連の内部メモリ管理動作の動作を実行可能にするようにさらに適合される記憶装置。
【請求項１４】
請求項１３記載の記憶装置において、
前記コントローラは、前記受信されたコマンドから導き出された情報が、予め定義されたシーケンスの開始条件を満足させるのか、あるいは予め定義されたシーケンスの終了条件を満足させるのかを判断することにより、前記コマンドの統合シーケンスが「非アクティブ」状態から「アクティブ」状態へ遷移したのか、あるいは遷移しているのか、それとも「アクティブ」状態から「非アクティブ」状態へ遷移したのか、あるいは遷移しているのかを判断する記憶装置。
【請求項１５】
請求項１１記載の記憶装置において、
前記記憶装置は、メモリ装置である記憶装置。
【請求項１６】
請求項１１記載の記憶装置において、
前記コマンドの統合シーケンスは、マルチメディアコンテンツの再生と関連する記憶装置。
【請求項１７】
請求項１１記載の記憶装置において、
前記コマンドの統合シーケンスは、マルチメディアコンテンツの獲得と関連する記憶装置。
【請求項１８】
請求項１１記載の記憶装置において、
前記コマンドの統合シーケンスは、データ同期化コマンドと関連する記憶装置。
【請求項１９】
請求項１１記載の記憶装置において、
前記コマンドの統合シーケンスは、ブートコマンドと関連する記憶装置。
【請求項２０】
請求項１１記載の記憶装置において、
前記第１連の内部メモリ管理動作の動作は、
フラッシュメモリ管理動作、
送信／受信データの暗号化／暗号化解除、
送信／受信データの圧縮／解凍、
アンチウィルス動作、
デフラグ動作、
高耐久化、
データのバックアップ、
データフォーマットの変更、
ガーベッジコレクション、
誤り訂正機構の採用、
高速フラッシュ記憶領域へのデータのキャッシング、
キャッシングデータのフラッシュ、
低電力モードの使用、および
静的な消耗の均等化
より成る群から選択される記憶装置。
【請求項２１】
請求項１１記載の記憶装置において、
前記第２連の内部メモリ管理動作の動作は、
フラッシュメモリ管理動作、
送信／受信データの暗号化／暗号化解除、
送信／受信データの圧縮／解凍、
アンチウィルス動作、
デフラグ動作、
高耐久化、
データのバックアップ、
データフォーマットの変更、
ガーベッジコレクション、
誤り訂正機構の採用、
高速フラッシュ記憶領域へのデータのキャッシング、
キャッシングデータのフラッシュ、
低電力モードの使用、および
静的な消耗の均等化
より成る群から選択される記憶装置。